(57)【要約】【課題】ドアクローザに想定外の外力がかかって扉体が強制的に閉じられるような場合であっても枠体または扉体に設けられた蝶番構成部材の変形等を防ぐ。【解決手段】扉体閉鎖装置が取り付けられた枠体および扉体に取り付けられ、互いに連結されて扉用蝶番１を構成する２つの蝶番構成部材３，５のうち、枠体に対する扉体の所定方向における位置の調整を行う蝶番構成部材３を覆い、枠体または扉体に対する一方の蝶番構成部材３の固定部分３６ａを覆う第１カバー部７１と、第１カバー部７１に連結されていて、蝶番構成部材３の中間部分３６ｂを覆う第２カバー部７６とを備え、第２カバー部７６は、扉体または枠体に固定され、かつ、中間部分３６ｂで蝶番構成部材３に当接し、扉体の閉鎖速度を加速させる力が扉体閉鎖装置に加わって蝶番構成部材３が枠体から離間する移動を抑制する。【選択図】図２
2019127699.tif 000002
【特許請求の範囲】
【請求項１】
閉鎖速度を減速させながら扉体を閉じる扉体閉鎖装置が取り付けられた枠体および前記扉体のそれぞれに取り付けられ、互いに連結されて扉用蝶番を構成する２つの蝶番構成部材のうち、前記枠体に対する前記扉体の所定方向における位置の調整を行う一方の蝶番構成部材を覆うカバー部材であって、
前記扉体または前記枠体に対する前記一方の蝶番構成部材の固定部分を覆う第１カバー部と、
前記第１カバー部に少なくとも部分的に連結されていて、前記固定部分と前記２つの蝶番構成部材の連結部分との間の前記一方の蝶番構成部材の中間部分を少なくとも部分的に覆う第２カバー部と、
を備え、
前記第２カバー部は、前記扉体または前記枠体に固定され、かつ、前記中間部分で前記一方の蝶番構成部材に当接し、前記扉体の前記閉鎖速度を加速させる力が前記扉体閉鎖装置に加わって前記一方の蝶番構成部材が前記枠体または前記扉体から離間する移動を抑制する
ことを特徴とするカバー部材。
【請求項２】
前記第２カバー部は、前記中間部分に当接する少なくとも１つの当接部材を有することを特徴とする請求項１に記載のカバー部材。
【請求項３】
前記当接部材は、前記中間部分に当接する方向の厚さが連続的に変化するように形成された断面テーパ状部材であることを特徴とする請求項２に記載のカバー部材。
【請求項４】
前記第２カバー部には、内周面に雌ネジ部が形成された少なくとも１つの螺合孔が形成されており、
前記当接部材は、前記一方の蝶番構成部材を臨む側とは反対側に、前記螺合孔の前記雌ネジ部と螺合する雄ネジ部を有することを特徴とする請求項２または３に記載のカバー部材。
【請求項５】
前記当接部材の前記雄ネジ部は、前記当接部材の軸心に対して偏心して設けられていることを特徴とする請求項４に記載のカバー部材。
【請求項６】
前記第２カバー部の長手方向における両側の端部には、前記枠体または前記扉体に当該第２カバー部を固定する固定部材が挿通される固定孔が形成されており、
前記螺合孔及び前記固定孔の軸心はそれぞれ、前記第２カバー部の長手方向において同一仮想線上に位置することを特徴とする請求項４または５に記載のカバー部材。
【請求項７】
閉鎖速度を減速させながら扉体を閉じる扉体閉鎖装置が取り付けられた枠体および前記扉体のそれぞれに取り付けられ、互いに連結されて扉用蝶番を構成する２つの蝶番構成部材のうち、前記枠体に対する前記扉体の所定方向における位置の調整を行う一方の蝶番構成部材を覆うカバー部材であって、
前記扉体または前記枠体に固定され、かつ、前記扉体または前記枠体に対する前記一方の蝶番構成部材の固定部分と前記２つの蝶番構成部材の連結部分との間で前記一方の蝶番構成部材に当接し、
前記扉体の前記閉鎖速度を加速させる力が前記扉体閉鎖装置に加わって前記一方の蝶番構成部材が前記枠体または前記扉体から離間する移動を抑制する
ことを特徴とするカバー部材。
【請求項８】
閉鎖速度を減速させながら扉体を閉じる扉体閉鎖装置が取り付けられた枠体および前記扉体のそれぞれに取り付けられ、互いに連結される２つの蝶番構成部材と、
前記２つの蝶番構成部材のうち、前記枠体に対する前記扉体の所定方向における位置の調整を行う一方の蝶番構成部材を覆うカバー部材と、
を備え、
前記カバー部材は、
前記扉体または前記枠体に固定される前記一方の蝶番構成部材の固定部分を覆う第１カバー部と、
前記第１カバー部に少なくとも部分的に連結されていて、前記固定部分と他方の蝶番構成部材との連結箇所との間の前記一方の蝶番構成部材の中間部分に当接し、かつ当該中間部分を少なくとも部分的に覆う第２カバー部と、
を有し、
前記第２カバー部は、前記扉体または前記枠体に固定され、かつ、前記中間部分で前記一方の蝶番構成部材に当接し、前記扉体の前記閉鎖速度を加速させる力が前記扉体閉鎖装置に加わって前記一方の蝶番構成部材が前記枠体または前記扉体から離間する移動を抑制する
ことを特徴とする扉用蝶番。
【発明の詳細な説明】
【技術分野】
【０００１】
本発明は、枠体および扉体に設けられた扉用蝶番の蝶番構成部材を覆うカバー部材、および、当該カバー部材を備えた扉用蝶番に関する。
【背景技術】
【０００２】
従来、枠体または扉体に取り付けられるケース体および調整プレートと、扉体または枠体に取り付けられる取付プレートとを備える扉用蝶番が知られている。調整プレートおよび取付プレートのうち調整プレートは、前後方向および左右方向の少なくとも一方向における扉体の位置調整を行う（例えば、特許文献１参照。）。
【０００３】
また、扉体の閉鎖速度を低速に抑えて、つまり、扉体がゆっくり閉じるようにする扉体閉鎖装置（以下、「ドアクローザ」ともいう。）が知られている。ドアクローザは、その本体が扉体の上端に取り付けられていると共に、扉体によって閉鎖される建物の開口部を画成する枠体にもリンク機構を介して取り付けられている（例えば、特許文献２参照。）。
【０００４】
特許文献１に記載された扉用蝶番のケース体は、枠体または扉体に加工された凹部に取り付けられており、調整プレートは、複数のネジによりケース体に前後方向および左右方向に移動自在に保持されている。つまり、調整プレートは、所定のネジを締め付ける方向または緩める方向に回すことでケース本体に対して前後方向および左右方向に移動するようになっている。ケース体は、調整プレートをその幅方向における両側面側から保持する爪部を有しており、調整プレートは、所定のネジを所定の方向に回して扉体の位置を左右方向に調節する場合、爪部を支点にして回転しようとする。
【先行技術文献】
【特許文献】
【０００５】
【特許文献１】特開２０１４−１１８７８５号公報
【特許文献２】特開２０１０−１９０５３号公報
【発明の概要】
【発明が解決しようとする課題】
【０００６】
図１２に示すように、扉体Ｄｐおよび枠体ＤｆにドアクローザＤｃが取り付けられている場合、ドアクローザＤｃがゆっくりと（閉鎖速度を減速させながら）扉体Ｄｐを閉じている途中、ユーザによって扉体Ｄｐを強制的に閉じようとする外力Ｏｆが付与されることがある。扉体Ｄｐが強制的に閉じられようとした場合、扉体Ｄｐと枠体Ｄｆとを連結している扉用蝶番１００の調整プレートＣｐに左右方向ＬＲにおける想定外の荷重Ｐが作用し、調整プレートＣｐが枠体Ｄｆから浮き上がろうとして爪部Ｎに接触する。このような荷重Ｐが繰り返し調整プレートＣｐに作用すると、当該調整プレートＣｐが曲がって（変形して）扉用蝶番１００の機能（動作）に支障をきたすことがある。
【０００７】
想定外の外力Ｏｆが閉方向に扉体Ｄｐに対して作用してドアクローザＤｃの内部抵抗が上昇した場合であっても、例えば、特許文献２に記載されたドアクローザによれば、リリーフ弁の開閉作動のタイミングを内部圧力に応じて自在に変更することで、ドアクローザＤｃの内部抵抗の増大を回避して、想定外の（強制的な）外力Ｏｆにより扉用蝶番１００に作用する荷重Ｐの発生を防いでいる。
【０００８】
しかしながら、特許文献２に記載のドアクローザＤｃにおいては、想定外の外力Ｏｆが閉方向に扉体Ｄｐへ作用した際に調整プレートＣｐが変形等しないようにするためにドアクローザＤｃ自体の構造を変更している。さらに、既設のドアクローザＤｃを、内部抵抗を調整することができる新たなドアクローザＤｃに交換しなければならない。ドアクローザＤｃの交換は、扉用蝶番１００を構成する調整プレートＣｐの変形等を回避するための対策としては、作業面および費用面の両方の負担が大きかった。
【０００９】
そこで、本発明は、上記課題に鑑みてなされたものであり、ドアクローザに想定外の外力がかかって扉体が強制的に閉じられるような場合であっても、蝶番構成部材の変形等を防ぐことができるカバー部材、および当該カバー部材を備えた扉用蝶番を提供することを目的とする。
【課題を解決するための手段】
【００１０】
上記目的を達成するために、本発明に係るカバー部材は、閉鎖速度を減速させながら扉体を閉じる扉体閉鎖装置が取り付けられた枠体および前記扉体のそれぞれに取り付けられ、互いに連結されて扉用蝶番を構成する２つの蝶番構成部材のうち、前記枠体に対する前記扉体の所定方向における位置の調整を行う一方の蝶番構成部材を覆うカバー部材であって、前記扉体または前記枠体に対する前記一方の蝶番構成部材の固定部分を覆う第１カバー部と、前記第１カバー部に少なくとも部分的に連結されていて、前記固定部分と前記２つの蝶番構成部材の連結部分との間の前記一方の蝶番構成部材の中間部分を少なくとも部分的に覆う第２カバー部と、を備え、前記第２カバー部は、前記扉体または前記枠体に固定され、かつ、前記中間部分で前記一方の蝶番構成部材に当接し、前記扉体の前記閉鎖速度を加速させる力が前記扉体閉鎖装置に加わって前記一方の蝶番構成部材が前記枠体または前記扉体から離間する移動を抑制することを特徴とする。
【００１１】
また、前記第２カバー部は、前記中間部分に当接する少なくとも１つの当接部材を有しているとよい。
【００１２】
また、前記当接部材は、前記中間部分に当接する方向の厚さが連続的に変化するように形成された断面テーパ状部材であるとよい。
【００１３】
また、前記第２カバー部には、内周面に雌ネジ部が形成された少なくとも１つの螺合孔が形成されており、前記当接部材は、前記一方の蝶番構成部材を臨む側とは反対側に、前記螺合孔の前記雌ネジ部と螺合する雄ネジ部を有しているとよい。
【００１４】
また、前記当接部材の前記雄ネジ部は、前記当接部材の軸心に対して偏心して設けられているとよい。
【００１５】
また、前記第２カバー部の長手方向における両側の端部には、前記枠体または前記扉体に当該第２カバー部を固定する固定部材が挿通される固定孔が形成されており、前記螺合孔及び前記固定孔の軸心はそれぞれ、前記第２カバー部の長手方向において同一仮想線上に位置するとよい。
【００１６】
さらに、上記目的を達成するために、本発明に係るカバー部材は、閉鎖速度を減速させながら扉体を閉じる扉体閉鎖装置が取り付けられた枠体および前記扉体のそれぞれに取り付けられ、互いに連結されて扉用蝶番を構成する２つの蝶番構成部材のうち、前記枠体に対する前記扉体の所定方向における位置の調整を行う一方の蝶番構成部材を覆うカバー部材であって、前記扉体または前記枠体に固定され、かつ、前記扉体または前記枠体に対する前記一方の蝶番構成部材の固定部分と前記２つの蝶番構成部材の連結部分との間で前記一方の蝶番構成部材に当接し、前記扉体の前記閉鎖速度を加速させる力が前記扉体閉鎖装置に加わって前記一方の蝶番構成部材が前記枠体または前記扉体から離間する移動を抑制することを特徴とする。
【００１７】
さらに、上記目的を達成するために、本発明に係る扉用蝶番は、閉鎖速度を減速させながら扉体を閉じる扉体閉鎖装置が取り付けられた枠体および前記扉体のそれぞれに取り付けられ、互いに連結される２つの蝶番構成部材と、前記２つの蝶番構成部材のうち、前記枠体に対する前記扉体の所定方向における位置の調整を行う一方の蝶番構成部材を覆うカバー部材と、を備え、前記カバー部材は、前記扉体または前記枠体に固定される前記一方の蝶番構成部材の固定部分を覆う第１カバー部と、前記第１カバー部に少なくとも部分的に連結されていて、前記固定部分と他方の蝶番構成部材との連結箇所との間の前記一方の蝶番構成部材の中間部分に当接し、かつ当該中間部分を少なくとも部分的に覆う第２カバー部と、を有し、前記第２カバー部は、前記扉体または前記枠体に固定され、かつ、前記中間部分で前記一方の蝶番構成部材に当接し、前記扉体の前記閉鎖速度を加速させる力が前記扉体閉鎖装置に加わって前記一方の蝶番構成部材が前記枠体または前記扉体から離間する移動を抑制することを特徴とする。
【発明の効果】
【００１８】
本発明により、ドアクローザに想定外の外力がかかって扉体が強制的に閉じられるような場合であっても蝶番構成部材の変形等を防ぐことができる。
【図面の簡単な説明】
【００１９】
【図１】本実施の形態に係る扉用蝶番を示す概略的な斜視図である。
【図２】図１に示す扉用蝶番の枠体側の蝶番構成部材を拡大して示す分解斜視図である。
【図３】カバープレートの構成を説明するための図である。
【図４】ストッパカバー部の当接部材を取り外した状態で示すカバープレートの分解斜視図である。
【図５】カバープレートに取り付けられている当接部材の斜視図である。
【図６】調整プレートに対する当接部材の当接状態を示す図である。
【図７】調整プレートに対する当接部材の別の当接状態を示す図である。
【図８】調整プレートに対する当接部材のさらに別の当接状態を示す図である。
【図９】カバープレートを備えていない扉用蝶番における荷重による影響を説明するための図である。
【図１０】カバープレートを備えた扉用蝶番における荷重による影響を説明するための図である。
【図１１】扉用蝶番に対する耐久試験について説明するための図である。
【図１２】ドアクローザを強制的に閉鎖させようとした場合において扉用蝶番に作用する荷重について説明するための概略図である。
【発明を実施するための形態】
【００２０】
以下に、本発明の好ましい実施の形態について、図面を参照しながら説明する。なお、以下に示す実施の形態は一つの例示であり、本発明の範囲において、種々の形態をとり得る。
【００２１】
＜扉用蝶番の構成＞
図１は、本実施の形態に係る扉用蝶番を示す概略的な斜視図であり、（ａ）は、扉用蝶番が枠体および扉体に取り付けられた状態を示し、（ｂ）は、扉用蝶番を構成する枠体に取り付けられる２つの蝶番構成部材の一方を分解して示す。図２は、図１（ｂ）に示す蝶番構成部材を拡大して示す分解斜視図である。図３は、カバープレートの構成を説明するための図であり、（ａ）は、カバープレートの平面図であり、（ｂ）は、カバープレートの側面図であり、（ｃ）は、カバープレートをカバー部側から見た図であり、（ｄ）は、カバープレートをストッパカバー部側から見た図である。図４は、ストッパカバー部の当接部材を取り外した状態で示すカバープレートの斜視図である。図５は、カバープレートに取り付けられている当接部材の斜視図であり、（ａ）は、表面側から見た斜視図であり、（ｂ）は、裏面側から見た斜視図である。
【００２２】
図１に示すように、本実施の形態に係る扉用蝶番１は、ドアを構成する扉体Ｄｐおよび枠体Ｄｆに取り付けられ枠体Ｄｆに対して扉体Ｄｐを開閉可能にするものである。扉用蝶番１は、２つの蝶番構成部材３，５と、蝶番構成部材３の所定部位を覆うカバープレート（カバー部材）７と、を備える。蝶番構成部材３，５は、図示しない連結ピンを介して互いに連結されている。扉用蝶番１は、ドアのうち、扉体Ｄｐおよび当該扉体Ｄｐにより開閉される開口部を画成する枠体Ｄｆに取り付けられて、扉体Ｄｐを枠体Ｄｆに対して開閉自在に支持している。
【００２３】
なお、本実施の形態に係る扉用蝶番１が取り付けられるドアには、以下では、開いた扉体Ｄｐの閉鎖速度を減速させながら閉じるドアクローザＤｃ（図１２参照。）が取り付けられていることを前提とする。しかし、扉用蝶番１は、ドアクローザの有無に関わらず、あらゆるドアに適用することができる。
【００２４】
以下では、説明の便宜上、扉体Ｄｐが閉じた状態において、当該扉体Ｄｐの厚さ方向を前後方向として「ＦＢ」により示す。また、扉体Ｄｐの幅方向を左右方向として「ＬＲ」により示す。また、扉体Ｄｐの長さ方向を上下方向として「ＵＤ」により示す。
【００２５】
［蝶番構成部材］
２つの蝶番構成部材３，５のうち、蝶番構成部材３は、枠体Ｄｆの高さ方向において上側および下側の所定部位の２箇所に加工された凹部Ｋ（上側のみ図示。）にはめ込まれて固定されている。蝶番構成部材３は、凹部Ｋに対して不動に固定されるケース本体３１と、当該ケース本体３１に前後方向ＦＢおよび左右方向ＬＲに移動自在に取り付けられた調整プレート３６と、を有する。
【００２６】
図２に示すように、ケース本体３１は、長手方向の両端部に凹部Ｋに固定される固定フランジ部３２，３３を有する。固定フランジ部３２，３３は、ケース本体３１を凹部Ｋにおいて枠体Ｄｆに固定するためのネジ（図示せず。）が挿通される２つの貫通孔３２ａ，３３ａと、カバープレート７を固定フランジ部３２，３３を介してケース本体３１に固定するためのネジ（図示せず。）が挿通される貫通孔３２ｂ，３３ｂとを有する。
【００２７】
ケース本体３１は、固定フランジ部３２，３３の間に調整プレート３６を収容する断面Ｕ字状の収容部３４を有している。ケース本体３１は、収容部３４における一方の側に設けられた断面略Ｕ字状のガイド部３５を有する。ガイド部３５は、ケース本体３１へ調整プレート３６を収容するようにガイドする部分である。
【００２８】
ガイド部３５は、平板状の底部３５ａと当該底部３５ａの両端部から左右方向ＬＲの一方向に向かって立設された一対の側部３５ｂとを有する。蝶番構成部材３が枠体Ｄｆの凹部Ｋに収容された状態において、ガイド部３５の側部３５ｂの端面３５ｂｔは、固定フランジ部３２，３３の端面３２ｃ，３３ｃよりも凹部Ｋの開口側において左右方向ＬＲの一方向に突出している。
【００２９】
ケース本体３１は、固定フランジ部３２，３３とガイド部３５との接続部付近にケース本体３１の長手方向に沿って互いに対向するように突き出た爪部３５ｎを有する。爪部３５ｎは、ケース本体３１の収容部３４に調整プレート３６が収容された場合、当該調整プレート３６を表面側から押さえ付ける役割を有する。調整プレート３６は、略矩形状の板状部３７と、円筒部（連結部分）３８とを有する。円筒部３８は、調整プレート３６がケース本体３１の収容部３４およびガイド部３５に収容された場合に、ガイド部３５から突き出た板状部３７の一端部に設けられている。
【００３０】
板状部３７の他端部の側には、円筒部３８の側に向かって切り込まれて形成されたＵ字状の切欠き３７ａが形成されている。切欠き３７ａには枠体Ｄｆに対する扉体Ｄｐの位置を左右方向ＬＲに、具体的には、ケース本体３１に対する調整プレート３６の位置を左右方向ＬＲに調整する調整ボルトＢ１が挿入されて係止されるようになっている。
【００３１】
切欠き３７ａと円筒部３８との間で、当該切欠き３７ａに近接した位置には長円孔３７ｂが調整プレート３６の中心線Ｙ−Ｙに垂直な方向を長軸として設けられている。長円孔３７ｂには、枠体Ｄｆに対する扉体Ｄｐの位置を前後方向ＦＢに、具体的には、ケース本体３１に対する調整プレート３６の位置を前後方向ＦＢに調整するためのカム付きボルトＢ２のカム部Ｃが嵌合される。
【００３２】
さらに、板状部３７には、長円孔３７ｂから適宜な距離だけ離れた位置に、中心線Ｙ−Ｙ方向に長軸を有する一対の長円孔３７ｃがそれぞれ設けられている。長円孔３７ｃは、調整プレート３６をケース本体３１に固定するための固定ボルトＢ３の挿通孔であり、枠体Ｄｆに対する扉体Ｄｐの前後方向ＦＢの調整に際し当該固定ボルトＢ３による調整プレート３６の移動を可能とすべく楕円状に形成されている。
【００３３】
ケース本体３１の収容部３４およびガイド部３５への調整プレート３６の挿通が完了した際、板状部３７においては、爪部３５ｎと対峙する位置に当該爪部３５ｎが収まる窪み部３７ｄが形成されている。ここで、便宜上、窪み部３７ｄ同士を結んだ仮想線Ｌ１から切欠き３７ａ側の板状部３７の部分を「固定部分３６ａ」といい、仮想線Ｌ１と円筒部３８との間の板状部３７の部分を「中間部分３６ｂ」という。固定部分３６ａは、調整プレート３６がケース本体３１に固定されて、後述するカバープレート７のカバー部７１によって覆われる部分であり、中間部分３６ｂは、カバー部７１によっては覆われず、ストッパカバー部７６が当接しかつ少なくとも部分的に覆われる部分である。
【００３４】
２つの蝶番構成部材３，５のうち、蝶番構成部材５は、図１（ａ）に示すように、扉体Ｄｐの高さ方向において上側および下側の所定部位の２箇所に固定されて、枠体Ｄｆの側に取り付けられた蝶番構成部材３と連結ピン（図示せず。）により連結される。扉体Ｄｐの側の蝶番構成部材５は、枠体Ｄｆの側の蝶番構成部材３に対して連結ピンを介して開閉自在に支持されている。
【００３５】
蝶番構成部材５は、扉体Ｄｐに取り付けられる平板状の取付プレート５１と、円筒部（連結部分）５２とを有する。取付プレート５１には、当該取付プレート５１を扉体Ｄｐに取り付けるためのビス等の固定部材が挿通される４つの孔５１ａが形成されている。円筒部５２には連結ピンが収容されており、当該連結ピンが蝶番構成部材３の円筒部３８に挿通されることにより、蝶番構成部材５は、蝶番構成部材３に連結ピンを介して連結されることになる。
【００３６】
［カバープレート］
カバープレート７は、ケース本体３１が調整プレート３６と共に枠体Ｄｆの凹部Ｋに固定された場合に、ケース本体３１および調整プレート３６を覆うカバー部材である。図３に示すようにカバープレート７は、長手方向の中心において、短手方向に沿った中心線Ｘ−Ｘに対して線対称に形成されている。
【００３７】
図３および図４に示すように、カバープレート７は、平面視略矩形状のカバー部（第１カバー部）７１と、当該カバー部７１と部分的に連結された、平面視略長円形状のストッパカバー部（第２カバー部）７６とを有する。
【００３８】
カバー部７１は、ケース本体３１の固定フランジ部３２，３３および調整プレート３６の固定部分３６ａを覆う化粧カバーである。カバー部７１の長手方向における両端部には、カバープレート７が固定フランジ部３２，３３に取り付けられた状態においてケース本体３１の固定フランジ部３２，３３の貫通孔３２ｂ，３３ｂと連通する座ぐり付きの一対の固定孔７１ａが形成されている。固定フランジ部３２，３３の貫通孔３２ｂ，３３ｂおよびカバープレート７の固定孔７１ａをそれぞれ整合させた状態で、ネジの先端を枠体Ｄｆにねじ込むことにより、カバープレート７は、ケース本体３１に取り付けられる。
【００３９】
カバープレート７が固定フランジ部３２，３３に取り付けられた状態において、カバー部７１の中央部で調整プレート３６の切欠き３７ａに対向する位置には、当該切欠き３７ａと連通する長円孔７１ｂが形成されている。長円孔７１ｂの長軸は、カバープレート７の中心線Ｘ−Ｘに沿った方向に延びている。したがって、カバープレート７の長円孔７１ｂを通じて所定の工具を挿入すれば、調整プレート３６の切欠き３７ａに挿入されている調整ボルトＢ１を調整する（回す）ことができる。
【００４０】
カバープレート７が固定フランジ部３２，３３に取り付けられた状態において、カバー部７１の中央部で調整プレート３６の長円孔３７ｂと対向する位置には、当該長円孔３７ｂと整合する切欠き７１ｃが形成されている。切欠き７１ｃは、ストッパカバー部７６がカバー部７１に一体に連結されている側の縁から長円孔７１ｂに向かって切り欠かれて形成されている。したがって、カバープレート７の切欠き７１ｃを通じて所定の工具を挿入すれば、調整プレート３６の長円孔３７ｂに挿入されているカム付きボルトＢ２を調整する（回す）ことができる。
【００４１】
カバープレート７が固定フランジ部３２，３３に取り付けられた状態において、調整プレート３６の一対の長円孔３７ｃと対向する位置には、当該長円孔３７ｃと整合する一対の丸孔７１ｄが形成されている。したがって、カバープレート７の丸孔７１ｄを通じて所定の工具を挿入して、調整プレート３６の長円孔３７ｃに挿入されている固定ボルトＢ３を調整する（回す）ことができる。
【００４２】
カバー部７１は、カバープレート７の切欠き７１ｃが形成されている側で切欠き７１ｃを挟んで一対の連結部７２を有する。カバー部７１およびストッパカバー部７６は、一対の連結部７２を介して互いに側面視略Ｓ字状に連結されている。カバー部７１とストッパカバー部７６とは、互いに段違でかつ並行となる位置関係にある。カバー部７１は、ケース本体３１の固定フランジ部３２，３３および調整プレート３６の固定部分３６ａと対向し、ストッパカバー部７６は、ケース本体３１のガイド部３５および調整プレート３６の中間部分３６ｂと対向する。
【００４３】
カバー部７１において、ストッパカバー部７６と連結されている側の連結部７２の外側部分には一対の切欠き７１ｅが形成されている。一対の切欠き７１ｅは、切欠き７１ｃを挟んだ位置であって、調整プレート３６を抑えるケース本体３１の爪部３５ｎと対向する位置に形成されている。すなわち、カバープレート７が固定フランジ部３２，３３に取り付けられた状態であっても、爪部３５ｎは、切欠き７１ｅによりカバー部７１に接触せず、カバープレート７の取り付けを阻害することはない。
【００４４】
カバープレート７のストッパカバー部７６は、調整プレート３６の中間部分３６ｂおよび側部３５ｂを上下方向ＵＤにおいて全て覆うとともに、前後方向ＦＢにおいて少なくとも部分的に覆って、当該中間部分３６ｂと対向するようになっている。ストッパカバー部７６は、調整プレート３６の中間部分３６ｂが枠体Ｄｆから、より具体的には、ケース本体３１から離間する方向へ移動する（浮き上がる）ことを抑制する部位である。カバープレート７が取り付けられた状態において、ストッパカバー部７６は、調整プレート３６を臨む面に２つの当接部材７７を有している。
【００４５】
ストッパカバー部７６は、連結部７２を介してカバー部７１と連結されている。ストッパカバー部７６は、蝶番構成部材３のケース本体３１におけるガイド部３５および調整プレート３６と交差する方向、つまり、上下方向ＵＤに延在し、当該上下方向ＵＤにおける両端部において枠体Ｄｆに直接固定される（図１（ａ）参照。）。ストッパカバー部７６の両端部には、当該ストッパカバー部７６を枠体Ｄｆに固定する固定ボルト（図示せず。）が挿入される座ぐり付きの一対の固定孔７６ａが形成されている。
【００４６】
ストッパカバー部７６において一対の固定孔７６ａの間には、当接部材７７を螺合により取り付けるための一対の螺合孔７６ｂが形成されている。螺合孔７６ｂの内周面には雌ネジ部７６ｂｓが形成されており、当該雌ネジ部７６ｂｓを介して当接部材７７がストッパカバー部７６に螺合により取り付けられている。一対の固定孔７６ａおよび一対の螺合孔７６ｂのそれぞれの軸心は、ストッパカバー部７６の長手方向に沿って同一仮想線Ｌ２上に位置されている。ストッパカバー部７６における固定孔７６ａおよび螺合孔７６ｂは、中心線Ｘ−Ｘを中心に線対称になるように配置されている。
【００４７】
図５に示すように、当接部材７７は、例えば、ポリフェニレンエーテル（ＰＰＥ）、ポリアセタール（ＰＯＭ）等の樹脂や亜鉛等の金属により、平面視円形状に形成されている。当接部材７７は、円板部７８と、当該円板部７８の一方の面に付設された突設部７９とを有する。説明の便宜上、突設部７９が付設されている円板部７８の面を「第１面７８ａ」とし、反対側の面（調整プレート３６を臨む面）を「第２面７８ｂ」とする。
【００４８】
円板部７８は、肉厚の厚い厚肉部７８ｄと、肉厚の薄い薄肉部７８ｔとを有し、厚肉部７８ｄから薄肉部７８ｔに向かって連続的に変化するように断面テーパ状に形成されている。突設部７９は、第１面７８ａから突出した円柱状の部位であり、その外周面には部分的に、ストッパカバー部７６の螺合孔７６ｂの雌ネジ部７６ｂｓと螺合する雄ネジ部７９ｓを有する。なお、突設部７９は、円板部７８の軸心に対して偏心して設けられている。具体的には、突設部７９は、円板部７８の軸心に対して薄肉部７８ｔ寄りの位置に設けられている。雄ネジ部７９ｓには雄ネジ部７９ｓの軸線方向に沿った十字状のスリット７９ｓｌが形成されている。
【００４９】
当接部材７７がストッパカバー部７６と一体に取り付けられた場合、円板部７８の第１面７８ａは、ストッパカバー部７６と平行に対向配置されるため、第２面７８ｂは、調整プレート３６の板状部３７に対して傾斜した状態で対向することになる。すなわち、当接部材７７は、調整プレート３６に対して円板部７８の厚肉部７８ｄが最初に接触することになる（例えば、図６参照。）。
【００５０】
＜カバープレートの取付および当接部材の位置調整＞
次に、図６〜図８を用いてカバープレート７の設置、および、調整プレート３６に対する当接部材７７の当接位置調整について説明する。図６は、調整プレートとストッパカバー部との間の間隔が広い状態における当接部材の調整について説明するための図である。図７は、調整プレートとストッパカバー部との間の間隔が図６よりも左右方向に狭まった状態における当接部材の調整について説明するための図である。図８は、調整プレートとストッパカバー部との間の間隔が図７よりも狭まった状態における当接部材の調整について説明するための図である。
【００５１】
まず、枠体Ｄｆの凹部Ｋに固定された蝶番構成部材３の固定部分３６ａにカバープレート７のカバー部７１を配設して、固定フランジ部３２，３３の貫通孔３２ｂとカバー部７１の固定孔７１ａとを対応させて固定ネジによりカバープレート７を固定フランジ部３２，３３に固定する。次いで、ストッパカバー部７６の固定孔７６ａにネジを挿入して、ストッパカバー部７６を介して枠体Ｄｆにカバープレート７を直接固定する。
【００５２】
カバープレート７を蝶番構成部材３および枠体Ｄｆに固定した場合、図６に示すように、カバープレート７のストッパカバー部７６と、調整プレート３６の中間部分３６ｂとの間には、例えば、断面矩形状の空間Ｓが確保されている。円板部７８は、空間Ｓ内に収容される程度の肉厚をもって形成されている。
【００５３】
カバープレート７を蝶番構成部材３および枠体Ｄｆに取り付けた際、当接部材７７が調整プレート３６に当接していない場合、突設部７９のスリット７９ｓｌに所定の工具（例えば、プラスドライバー等）を係合させて当接部材７７を回転し、円板部７８の厚肉部７８ｄが調整プレート３６と当接するまで、当接部材７７を調整プレート３６に向かって近づける。例えば、図６では、厚肉部７８ｄは、円筒部３８に最も接近した位置Ｐｏ１で調整プレート３６の板状部３７と当接する。具体的には、厚肉部７８ｄは、その円筒部３８側の縁部領域（図６（ａ）参照。）において調整プレート３６の中間部分３６ｂと当接する。かくして、調整プレート３６は、固定ボルトＢ３および当接部材７７の厚肉部７８ｄの２点において左右方向ＬＲに支持されている。
【００５４】
次に、図６に示した状態から、枠体Ｄｆに対する扉体Ｄｐの位置を左右方向ＬＲにおいて調整したい場合、調整ボルトＢ１を所定の方向に回転させて、調整プレート３６の板状部３７を円筒部３８の側においてカバープレート７に接近するように位置調整をする必要がある。しかし、図６に示した調整プレート３６の厚肉部７８ｄの位置Ｐｏ１では、円筒部３８の側における調整プレート３６の板状部３７の浮き上がりの移動を厚肉部７８ｄが妨害することになり、調整プレート３６を左右方向ＬＲにおいて適切に位置調整することができない。
【００５５】
したがって、図７に示すように、当接部材７７を調整プレート３６から離れるように適宜回転させて、厚肉部７８ｄを図６に示した位置Ｐｏ１から調整ボルトＢ１の側の位置Ｐｏ２へ移動させる。これにより、調整プレート３６を左右方向ＬＲにおいて適切に位置調整することができる。なお、この状態において、当接部材７７の厚肉部７８ｄは、調整プレート３６の円筒部３８から離れるほうに回転させられていて、縁部領域において調整プレート３６と部分的に面接触している（図７（ａ）参照。）。
【００５６】
さらに、図７に示した状態から、枠体Ｄｆに対する扉体Ｄｐの位置を左右方向ＬＲにおいてさらに調整したい場合、調整ボルトＢ１を所定の方向に回転させて、調整プレート３６の板状部３７を円筒部３８の側においてカバープレート７にさらに接近するように位置調整をする必要がある。しかし、図７に示した調整プレート３６の厚肉部７８ｄの位置Ｐｏ２では、円筒部３８の側における調整プレート３６の板状部３７の浮き上がりの移動を厚肉部７８ｄが妨害することになり、調整プレート３６を左右方向ＬＲにおいて適切に位置調整することができない。
【００５７】
したがって、図８に示すように、当接部材７７を調整プレート３６から離れるように適宜回転させて、厚肉部７８ｄを図７に示した位置Ｐｏ２から調整ボルトＢ１の側の位置Ｐｏ３へ移動させる。これにより、調整プレート３６を左右方向ＬＲにおいて適切に位置調整することができる。なお、この状態において、当接部材７７の厚肉部７８ｄは、調整プレート３６の円筒部３８から最も離れた位置にあり、第２面７８ｂにおいて厚肉部７８ｄから薄肉部７８ｔにわたって調整プレート３６と面接触している（図８（ａ）参照。）。
【００５８】
＜カバープレートの特徴＞
図１２に示したように、ドアクローザＤｃが取り付けられた枠体Ｄｆおよび扉体Ｄｐにおいて、扉体Ｄｐに強制的な外力Ｏｆを加えて扉体Ｄｐを強制的に閉鎖しようとした場合、図９に示すように、扉体Ｄｐに取り付けられている蝶番構成部材５の連結ピンを介して調整プレート３６の円筒部３８に、調整プレート３６を左右方向ＬＲに沿って枠体Ｄｆから離間させるような局所的な荷重Ｐがかかる。
【００５９】
カバープレート７が取り付けられておらず、調整プレート３６に荷重Ｐが作用した場合、調整プレート３６には固定ボルトＢ３（支点）のまわりに、枠体Ｄｆから離間しようとする（煽りを受ける）方向にモーメントが働く。調整プレート３６は、荷重Ｐによる煽りを受けると、ケース本体３１の爪部３５ｎと接触することになり、爪部３５ｎとの接触位置においても支持されることになる。したがって、荷重Ｐが調整プレート３６に繰り返し加えられると、調整プレート３６には爪部３５ｎを介して局所的な反力が働くことになり、爪部３５ｎにおいて調整プレート３６が屈曲変形してしまい、扉用蝶番１としての機能（扉体Ｄｐの開閉機能）が損なわれることがある。
【００６０】
また、調整プレート３６と爪部３５ｎとの接触により、爪部３５ｎには局所的に調整プレート３６から荷重Ｐ′が作用するので、爪部３５ｎが変形したり、破損したりすることになり、やはり、扉用蝶番１の開閉機能が損なわれることがある。
【００６１】
これに対して、図１０に示すように、カバープレート７を取り付けることにより、当接部材７７の、厚肉部７８ｄが調整プレート３６の中間部分３６ｂと当接することになる。つまり、調整プレート３６は、固定ボルトＢ３および当接部材７７の厚肉部７８ｄの２点において支持されることになる。そして、調整プレート３６には、調整プレート３６の中間部分３６ｂと厚肉部７８ｄとが当接する位置が荷重Ｐによるモーメントの支点となる。
【００６２】
当接部材７７の厚肉部７８ｄが支点になるということは、荷重Ｐの作用点となる円筒部３８から厚肉部７８ｄまでの距離が、爪部３５ｎが支点となる場合よりも近くなる。つまり、荷重Ｐがかかる作用点とモーメントの支点との距離（モーメントの腕）が、爪部３５ｎを支点とした場合と比べて、当接部材７７の厚肉部７８ｄを支点とした方が作用点に近くなり、調整プレート３６に働くモーメントを小さくすることができる。かくして、調整プレート３６の屈曲変形を抑制することができる。
【００６３】
なお、図６に示した状態は、当接部材７７の厚肉部７８ｄと調整プレート３６の板状部３７との当接位置が円筒部３８から最も近くなっており、調整プレート３６に働くモーメントが最も小さくなるので好ましい。つまり、この状態において荷重Ｐにより煽りを受けた場合、厚肉部７８ｄと板状部３７との当接位置から荷重Ｐの作用点までの距離が短く、調整プレート３６に働くモーメントが最も小さくなっている。
【００６４】
また、２つの当接部材７７が調整プレート３６の中間部分３６ｂの短手方向（上下方向ＵＤ）に沿って中央部分に当接している（図１（ａ）参照。）ので、調整プレート３６の板状部３７が左右方向ＬＲへ枠体Ｄｆから離間して浮き上がることを効果的に抑制することができる。
【００６５】
また、調整プレート３６は、爪部３５ｎおよびカバープレート７の当接部材７７の複数箇所と接触することもあり、調整プレート３６に対する荷重Ｐを、爪部３５ｎにおける荷重Ｐ′および当接部材７７における荷重Ｐ″に分散して支持することができる。
【００６６】
ここで、ドアクローザＤｃが取り付けられたドアにおいて、カバープレート７を備えた扉用蝶番１およびカバープレート７を備えていない扉用蝶番に実施した扉体Ｄｐの強制開閉による扉用蝶番の耐久試験の結果について説明する。
【００６７】
（試験方法）
図１１（ａ）に示すように、ドアクローザ（図示せず。）を有するドアを設置し、図１１（ｂ）に示すように、エアシリンダーＡｃを用いて扉体Ｄｐを強制開閉させた。両試験においては、メーカーおよび型番について同じドアクローザを用いた。下記の表１および表２において扉体Ｄｐを開ける力を「Ｆ１」、閉める力を「Ｆ２」、扉体Ｄｐとドアの設置面との間隔（垂れ下がり量）を「Ｓ」、横方向に延在する枠体Ｄｆから５０ｍｍの位置における、扉体Ｄｐと縦方向に延在している枠体Ｄｆとの各チリ寸法を「Ｓ１〜Ｓ４」、扉体Ｄｐの下側に取り付けた扉用蝶番の円筒部３８，５２間の隙間を「Ｓ５」とした。
【００６８】
まず、表１に、カバープレート７を備えていない扉用蝶番における試験結果を示す。
（試験条件）
扉体重量：４０ｋｇ
扉体開閉角度：０〜９０°
扉体サイズ：高さ１９９０×幅７９０×厚さ３３［ｍｍ］
開閉サイクル：５秒（閉じ込み速度２秒）／１回
（試験結果）
【表１】
2019127699.tif 000003
【００６９】
注１：下側の扉用蝶番から異音発生
注２：閉じ込み速度変更（２秒→１．７８秒）
注３：開閉回数１００,０００回時より閉じ込み速度変更（１．７８秒→１．５０秒）
固定ボルトが緩み扉体と枠体とが接触
固定ボルトを締め直して試験再開
注４：上側の扉用蝶番の調整プレートが変形して枠体に扉体が接触したので試験終了
【００７０】
次に、表２に、カバープレート７を備えた扉用蝶番における試験結果を示す。
（試験条件）
扉体重量：４０ｋｇ
扉体開閉角度：０〜９０°
扉体サイズ：高さ１９９０×幅７９０×厚さ３３［ｍｍ］
開閉サイクル：５秒（閉じ込み速度１．７９秒）／１回
（試験結果）
【表２】
2019127699.tif 000004
注１：ドアクローザからの油漏れ確認
閉じ込み時のドアクローザによる抵抗なし
【００７１】
上記の試験結果から分かるように、カバープレート７を備えていない扉用蝶番においては、開閉回数が１００，０００回を超えたあたりから扉体Ｄｐと枠体Ｄｆとが接触した。これは、調整プレート３６が曲がり変形したことに起因したものであり、開閉回数１１３，７２６回において上側の調整プレート３６が変形していることが確認された。これに対して、カバープレート７を備えた扉用蝶番１においては、少なくとも開閉回数が４１０，０００回を超えても不具合は生じず、先にドアクローザＤｃに不具合が生じた。
【００７２】
このように、蝶番構成部材３の中間部分３６ｂにおいて調整プレート３６を枠体Ｄｆに向かって押さえ付けるストッパカバー部７６を備えるカバープレート７により、調整プレート３６の煽り方向の変形を回避することができる。カバープレート７により、扉体Ｄｐを閉めるドアクローザＤｃの閉鎖運動に対して強制的に扉体Ｄｐを閉める外力Ｏｆが繰り返し加えられた場合であっても、調整プレート３６の変形を確実に防いで扉用蝶番１としての機能を長期にわたって維持することができる。
【００７３】
また、ストッパカバー部７６に取り付けられている当接部材７７は、その厚さが連続的に変化するように断面がテーパ状に形成されている。かくして、例えば、図６〜図８に示すように、調整プレート３６が左右方向ＬＲにおいて位置調整されて、調整プレート３６とストッパカバー部７６との間の空間Ｓが固定ボルトＢ３の側から円筒部３８の側に向かって狭まる場合であっても、当接部材７７を回転させて厚肉部７８ｄが調整プレート３６と接触する位置Ｐｏ１〜Ｐｏ３を調整するだけで空間Ｓの形状に合わせて、ストッパカバー部７６の当接部材７７を調整プレート３６に簡単に当接させることができる。
【００７４】
また、ストッパカバー部７６の螺合孔７６ｂの内周面には雌ネジ部７６ｂｓが形成され、当接部材７７の円板部７８は、当該雌ネジ部７６ｂｓと螺合する雄ネジ部７９ｓが外周面に形成された突設部７９を有している。かくして、ストッパカバー部７６と調整プレート３６との間での当接部材７７の厚肉部７８ｄの位置を、当接部材７７の回転によって形成される軌跡（円周）上において自由に調整することができる。
【００７５】
また、円板部７８の突設部７９は、円板部７８の軸心に対して偏心して設けられているので、円板部７８を、例えば、０〜１８０°の範囲において回動させた場合、突設部７９が円板部７８に対して偏心していない場合と比べて、円板部７８の厚肉部７８ｄの位置を広い範囲において調整する（移動させる）ことができる。
【００７６】
また、ストッパカバー部７６を枠体Ｄｆに固定する一対の固定孔７６ａの軸心と、当接部材７７を取り付ける一対の螺合孔７６ｂの軸心とは、ストッパカバー部７６の長手方向に沿った同一仮想線Ｌ２上に配設されている。これにより、円板部７８の厚肉部７８ｄが同一仮想線Ｌ２からずれた回転位置にあったとしても、突設部７９を支持する螺合孔７６ｂと、ストッパカバー部７６を枠体Ｄｆに固定する固定ネジが挿通される固定孔７６ａとは互いに同一仮想線Ｌ２上にあるので、ストッパカバー部７６は、調整プレート３６から当接部材７７を介して伝達される荷重を安定的に受け止めることができる。
【００７７】
なお、カバープレート７は、既設の扉用蝶番に簡単に取り付けることもできるので、既設の扉用蝶番に対する汎用性が高く、扉用蝶番のメインテナンスコストを抑えることができる。
【００７８】
＜その他＞
なお、本発明は、上記の実施の形態に限られるものではなく、本発明の範囲を超えない範囲で適宜変更が可能である。例えば、上記の実施の形態においては、当接部材７７は、平面視円形状に形成されていたが、円形状に限られず、三角形、四角形、五角形またはそれ以上の多角形状に形成されていてもよい。
【００７９】
また、上記の実施の形態においては、ストッパカバー部７６に当接部材７７を設けることにより調整プレート３６の左右方向ＬＲへの浮き上がりを抑制したが、ストッパカバー部７６が調整プレート３６に直接当接して当該浮き上がりを抑制してもよい。
【００８０】
また、上記の実施の形態においては、蝶番構成部材３を枠体Ｄｆに取り付け、蝶番構成部材５を扉体Ｄｐに取り付けたが、蝶番構成部材３を扉体Ｄｐに取り付け、蝶番構成部材５を枠体Ｄｆに取り付けてもよい。
【００８１】
また、上記の実施の形態においては、カバープレート７は、調整プレート３６の固定部分３６ａを覆うカバー部７１と、中間部分３６ｂを覆うストッパカバー部７６とを備えていたが、ストッパカバー部７６のみにより形成されていてもよい。これにより、既設の扉用蝶番へのカバープレート７の適用の汎用性が高まる。
【００８２】
また、上記の実施の形態においては、爪部３５ｎを有するケース本体３１について説明したが、爪部３５ｎは必須の構成ではない。この場合、板状部３７には窪み部３７ｄは形成されていなくてもよく、固定部分３６ａは、固定ボルトＢ３が調整プレート３６を長円孔３７ｃにおいて固定する箇所を基準にすることになる。
【００８３】
また、上記の実施の形態においては、調整プレート３６を所望の状態に調整する場合に、カバープレート７の長円孔７１ｂ、切欠き７１ｃおよび丸孔７１ｄにいずれに工具を挿通させればよいかを示す目印は刻印されていない。しかし、ユーザの利用しやすさを考慮してカバープレート７に、例えば、長円孔７１ｂの近傍に「左右調整」、切欠き７１ｃの近傍に「前後調整」、丸孔７１ｄの近傍に「固定」等の文字を刻印してもよい。
【符号の説明】
【００８４】
１  扉用蝶番
３，５  蝶番構成部材
３６  調整プレート
３６ａ  固定部分
３６ｂ  中間部分
３７  板状部
３８  円筒部
７  カバープレート（カバー部材）
７１  カバー部（第１カバー部）
７６  ストッパカバー部（第２カバー部）
７６ｂ  螺合孔
７６ｂｓ  雌ネジ部
７７  当接部材
７９  突設部
７９ｓ  雄ネジ部
Ｄｃ  ドアクローザ（扉体閉鎖装置）
Ｄｐ  扉体
Ｄｆ  枠体
【図１】
2019127699.tif 000005
【図２】
2019127699.tif 000006
【図３】
2019127699.tif 000007
【図４】
2019127699.tif 000008
【図５】
2019127699.tif 000009
【図６】
2019127699.tif 000010
【図７】
2019127699.tif 000011
【図８】
2019127699.tif 000012
【図９】
2019127699.tif 000013
【図１０】
2019127699.tif 000014
【図１１】
2019127699.tif 000015
【図１２】
2019127699.tif 000016